(57)【要約】【課題】外気や水温の状況に応じて、乾燥時間と消費電力を効果的に抑制し得る乾燥機を提供する。【解決手段】回転ドラム２９に温風を送風するための送風路、加熱手段６２および送風手段６１、除湿手段５を含む乾燥装置と、前記送風手段６１の上流側の前記送風路に設けられた吸気手段１３とを備えた乾燥機において、乾燥中に、前記外槽内に溜まった水の温度、前記送風路に吸込む空気の温度又は湿度が、所定の条件であったときに、前記吸気手段１３により前記空気を前記送風路に吸込んで機外へ排気させる排気方式で乾燥を行う。【選択図】図３
2016123771.tif 000002
【特許請求の範囲】
【請求項１】
乾燥時に内部が乾燥室となる外槽と、前記外槽内に回転自在に配置され、衣類を収容する回転ドラムと、この回転ドラムを駆動するモータと、前記回転ドラムを支持する筐体と、前記回転ドラムに温風を送風するための送風路、加熱手段及び送風手段、除湿手段を含む乾燥装置と、前記外槽から出る水を排出する排水ホースと、前記送風手段の上流側の前記送風路に設けられ、空気を前記送風路に吸込む吸気手段とを備えた乾燥機において、
前記外槽内に溜まった水の温度を検知する温度センサを有し、乾燥中に、前記温度センサが、所定の温度より低い温度を検知した場合、前記加熱手段、前記送風手段および前記除湿手段を運転させる循環方式で乾燥を行い、前記温度センサが、所定の温度より高い温度を検知した場合、前記吸気手段により前記空気を前記送風路に吸込んで機外へ排気させる排気方式で乾燥を行うことを特徴とする乾燥機。
【請求項２】
乾燥時に内部が乾燥室となる外槽と、前記外槽内に回転自在に配置され、衣類を収容する回転ドラムと、この回転ドラムを駆動するモータと、前記回転ドラムを支持する筐体と、前記回転ドラムに温風を送風するための送風路、加熱手段及び送風手段、除湿手段を含む乾燥装置と、前記外槽から出る水を排出する排水ホースと、前記送風手段の上流側の前記送風路に設けられ、空気を前記送風路に吸込む吸気手段とを備えた乾燥機において、
前記送風路に吸込む空気の湿度を検知する湿度センサを有し、乾燥中に、前記湿度センサが、所定の湿度より高い湿度を検知した場合、前記加熱手段、前記送風手段および前記除湿手段を運転させる循環方式で乾燥を行い、前記湿度センサが、所定の湿度より低い湿度を検知した場合、前記吸気手段により前記空気を前記送風路に吸込んで機外へ排気させる排気方式で乾燥を行うことを特徴とする乾燥機。
【請求項３】
乾燥時に内部が乾燥室となる外槽と、前記外槽内に回転自在に配置され、衣類を収容する回転ドラムと、この回転ドラムを駆動するモータと、前記回転ドラムを支持する筐体と、前記回転ドラムに温風を送風するための送風路、加熱手段及び送風手段、除湿手段を含む乾燥装置と、前記外槽から出る水を排出する排水ホースと、前記送風手段の上流側の前記送風路に設けられ、空気を前記送風路に吸込む吸気手段とを備えた乾燥機において、
前記送風路に吸込む空気の温度を検知する温度センサを有し、乾燥中に、前記温度センサが、所定の温度より低い温度を検知した場合、前記加熱手段、前記送風手段および前記除湿手段を運転させる循環方式で乾燥を行い、前記温度センサが、所定の温度より高い温度を検知した場合、前記吸気手段により前記空気を前記送風路に吸込んで機外へ排気させる排気方式で乾燥を行うことを特徴とする乾燥機。
【請求項４】
請求項１乃至３のいずれかにおいて、
前記吸気手段は、前記外槽上面から前記筺体との空間の空気を前記送風路に吸込むものであり、
前記吸気手段で吸込んだ空気の全部または一部は、前記排水ホースを経由して排気することを特徴とする乾燥機。
【請求項５】
請求項１乃至３のいずれかにおいて、
前記循環方式の乾燥を行うときは乾燥開始から規定時間以降に前記除湿手段への冷却水の供給を行い、排気方式の乾燥を行うときは前記冷却水の供給を行わないことを特徴とする乾燥機。
【発明の詳細な説明】
【技術分野】
【０００１】
本発明は、衣類を乾燥する手段を備えた乾燥機に関する。
【背景技術】
【０００２】
乾燥機又は洗濯から乾燥までを連続して行える洗濯乾燥機による衣類の乾燥は、送風ファンと熱源により高温・低湿度の空気を作り、これを洗濯槽内に吹込み、衣類の温度を高くし、衣類から水分を蒸発させ、蒸発した水分を機外へ排出することにより行う。
【０００３】
蒸発した水分の除去方法としては、そのまま洗濯乾燥機外へ出す排気方式（常に新しい空気を供給）と蒸発した水分を冷却し結露させ、水分を除去する除湿方式（同じ空気を循環させる）がある。また除湿方式には蒸発した水分を結露させるために空冷方式と水冷方式がある。
【０００４】
排気方式および除湿方式はいずれか一方のみを行う場合もあるが、乾燥工程の前半に空冷又は水冷除湿方式を行い、後半に周囲の乾燥した外気を吸気し、洗濯物に吹付けた後の温風空気をそのまま排気するという、除湿方式から排気方式への切替えを行い、加熱手段をヒータ強からヒータ弱又は、加熱手段の運転を停止し衣類からの余熱で乾燥を行うことにより、乾燥時間の短縮と使用水量や消費電力を低減することが可能になる。
【０００５】
ただし、洗濯物に吹き付けた後の温風空気をそのまま排気した場合、時間短縮と使用水量や消費電力量の低減を図ることはできるが、洗濯機乾燥機周囲の室内に高湿な空気を排出することで室内の環境を悪化させてしまう。
【０００６】
そこで、乾燥運転中に、回転ドラムから排出される高湿な空気を、室内に排気せずに排水ホースを経由して排気する技術が、例えば特許文献１に開示されている。
【先行技術文献】
【特許文献】
【０００７】
【特許文献１】特開２０１０−１７２７０号公報
【発明の概要】
【発明が解決しようとする課題】
【０００８】
特許文献１では、乾燥開始から所定時間が経過したときに、自動的に排気方式の乾燥に切り替えている。このため、外槽内の水温や外気の温度が低い場合、または外気の湿度が高い場合であっても、排気方式の乾燥を行っている。その結果、乾燥に時間がかかるなど乾燥効率が低下する可能性がある。一方で、この特許文献１では、外槽内の水温や外気の温度が高い場合、または外気の湿度が低い場合であっても、除湿方式の乾燥を行っており、消費電力が抑制できない可能性がある。
【０００９】
そこで、本発明は、外気や水温の状況に応じて、乾燥時間と消費電力を効果的に抑制し得る乾燥機を提供することを目的とする。
【課題を解決するための手段】
【００１０】
上記目的を達成するために本発明は、乾燥時に内部が乾燥室となる外槽と、前記外槽内に回転自在に配置され、衣類を収容する回転ドラムと、この回転ドラムを駆動するモータと、前記回転ドラムを支持する筐体と、前記回転ドラムに温風を送風するための送風路、加熱手段及び送風手段、除湿手段を含む乾燥装置と、前記送風手段の上流側の前記送風路に設けられ、空気を前記送風路に吸込む吸気手段とを備えた乾燥機において、  前記外槽内に溜まった水の温度を検知する温度センサを有し、乾燥中に、前記温度センサが、所定の温度より低い温度を検知した場合、前記加熱手段、前記送風手段および前記除湿手段を運転させる循環方式で乾燥を行い、前記温度センサが、所定の温度より高い温度を検知した場合、前記吸気手段により前記空気を前記送風路に吸込んで機外へ排気させる排気方式で乾燥を行う。
【００１１】
または、前記送風路に吸込む空気の湿度を検知する湿度センサを有し、乾燥中に、前記湿度センサが、所定の湿度より高い湿度を検知した場合、循環方式で乾燥を行い、前記湿度センサが、所定の湿度より低い湿度を検知した場合、排気方式で乾燥を行う。
【００１２】
または、前記送風路に吸込む空気の温度を検知する温度センサを有し、乾燥中に、前記温度センサが、所定の温度より低い温度を検知した場合、循環方式で乾燥を行い、前記温度センサが、所定の温度より高い温度を検知した場合、排気方式で乾燥を行う。
【発明の効果】
【００１３】
本発明によれば、外気や水温の状況に応じて、乾燥時間と消費電力を効果的に抑制し得る乾燥機を提供できる。
【図面の簡単な説明】
【００１４】
【図１】本発明の第１の実施例に係るもので洗濯乾燥機の斜視図を示す。
【図２】本発明の第１の実施例に係るもので除湿方式の洗濯乾燥機の断面図を示す。
【図３】本発明の第１の実施例に係るもので排気方式の洗濯乾燥機の断面図を示す。
【図４】本発明の第１の実施例に係るもので乾燥工程のヒータ，冷却水弁，吸気弁の運転状態を示す。
【図５】本発明の第１の実施例に係るもので洗濯乾燥機の制御装置のブロック図を示す。
【図６】本発明の第１の実施例に係るもので洗濯乾燥機の制御処理プログラムのフローチャートを示す。
【図７】本発明の第２の実施例に係るもので水温を検知する温度センサを搭載し、排気方式を行うことを判断した場合の洗濯乾燥機の断面図を示す。
【図８】本発明の第３の実施例に係るもので湿度センサを搭載し、排気方式を行うことを判断した場合の洗濯乾燥機の断面図を示す。
【図９】本発明の第３の実施例に係るもので洗濯乾燥機の制御処理プログラムのフローチャートを示す。
【図１０】本発明の第４の実施例に係るもので外気温測定用の温度センサを搭載し、排気方式を行うことを判断した場合の洗濯乾燥機の断面図を示す。
【図１１】本発明の第４の実施例に係るもので洗濯乾燥機の制御処理プログラムのフローチャートを示す。
【図１２】本発明の第５の実施例に係るもので吸気弁から取り込む筐体内部空気の湿度および温度を把握するために、吸気弁付近に湿度センサおよび外気温を測定するための温度センサを搭載し、また、水温を検知する温度センサを搭載することにより、排気方式を行うことを判断した場合の洗濯乾燥機の断面図を示す。
【図１３】本発明の第５の施例に係るもので湿度センサおよび外気温を測定するための温度センサを制御装置内に搭載し、排気方式を行うことを判断した場合の洗濯乾燥機の断面図を示す。
【図１４】本発明の第５の施例に係るもので外部空気の湿度および温度を把握するために、外部空気を取り込む位置に湿度センサおよび外気温を測定するための温度センサを搭載し、排気方式を行うことを判断した場合の洗濯乾燥機の断面図を示す。
【図１５】本発明の第５実施例に係るもので洗濯乾燥機の制御処理プログラムのフローチャートを示す。
【発明を実施するための形態】
【００１５】
以下、本発明の実施例を図面により説明する。なお、本説明では、洗濯機能を備えた洗濯乾燥機の場合について説明するが、本発明はこれに限定されるものではなく、洗濯機能を乾燥機についても適応できることは言うまでもないものである。
【００１６】
図１は、本発明の第１の実施例に係るもので、洗濯乾燥機の斜視図を示す。ベース１の上部には鋼板と樹脂成形品で組合わされて構成された外枠２が載せられている。外枠２の正面には洗濯物３０を出し入れするドア３と前面カバー２２及び背面には背面カバー２３が設けられている。
【００１７】
図２は、本発明の第１の実施例に係るもので、除湿方式で運転している場合の洗濯乾燥機の断面図を示す。図３は、本発明の第１の実施例に係るもので、排気方式で運転している場合の洗濯乾燥機の断面図を示す。図４は、本発明の第１の実施例に係るもので、乾燥工程のヒータ、冷却水弁、吸気弁の運転状態を示し、（ａ）は除湿方式、（ｂ）は排気方式の運転状況を示す。
【００１８】
本体５００の外枠２の内側には外槽２０が備えられる。外槽２０は下部の複数個のサスペンション２１により支持されている。外槽２０の内側にある回転ドラム２９にはドア３を開けて投入された洗濯物３０があり、回転ドラム２９の開口部の外周には脱水時の洗濯物３０のアンバランスによる振動を低減するための流体バランサー３１が設けられている。また、回転ドラム２９の内側には洗濯物３０を掻き揚げる複数個のリフター３３が設けられている。
【００１９】
回転ドラム２９は回転ドラム用金属製フランジ３４に連結された主軸３５を介してドラム駆動用モータ３６に直結されている。外槽２０の開口部には弾性体からなるゴム系のパッキン３８が取付けられている。このパッキン３８は外槽２０内とドア３との水密性を維持する役割をしている。これにより、洗い，すすぎ及び脱水時の水漏れの防止が図られている。回転ドラム２９は側壁に遠心脱水および通風用の多数の小孔（図示せず）を有する。外槽２０の底壁に開口した排水口３７は、排水弁８を介して排水ホース９に接続する。
【００２０】
回転ドラム２９内の洗濯物３０を乾燥させる除湿ダクト５と送風手段たるファン６１と加熱手段となるヒータ６２を含む乾燥装置６は、外槽２０から離して外枠２に固定（図示せず）されている。除湿ダクト５と通風口３２は柔軟構造のベローズ４で略水平に接続し、ヒータ６２の出口と吹出しノズル１１は外槽２０の最上面から中心までの間に且つ外槽２０の中心より前面の位置に柔軟構造のベローズ７で外槽２０に対し略垂直に接続して外槽２０の振動を吸収している。排水口３７，ファン６１の吸気口及び吐出口には温度センサ４０が設けてある。
【００２１】
このように構成したドラム式洗濯乾燥機は、洗濯工程においては、回転ドラム２９内に洗濯物を投入し、排水弁８を閉じた状態で給水して外槽２０に洗濯水を溜め、回転ドラム２９を回転させて洗濯物３０を洗濯する。また、脱水工程においては、排水弁８を開いて外槽２０内の洗濯水を排水し、回転ドラム２９を回転させて遠心脱水する。
【００２２】
続く乾燥工程では、排水弁８を開いた状態で回転ドラム２９を回転させると共に、ファン６１を運転して外槽２０内の空気を通風口３２から吸出して水冷除湿ダクト５内を通過し、ヒータ６２で加熱して吹出しノズル１１から回転ドラム２９内の洗濯物３０に向けて吹込む高温・低湿度の槽内空気１２を生成する。
【００２３】
回転ドラム２９内で洗濯物３０から水分を奪って湿潤した槽内空気１２の除湿方法は図４の（ａ）(ｂ)に示すように二通りのうちのいずれかとなる。
【００２４】
除湿方式の場合は図４の（ａ）に示すように吸気弁１３は閉じたまま、乾燥工程中盤より冷却水弁（図示せず）を開き、図２の冷却水供給管５１から水冷除湿ダクト５内の壁面に流れ出た冷却水５２を流下させ、槽内空気１２と触れさせることで除湿する。水冷除湿ダクト５内の壁面に流れ出た冷却水５２は排水口３７を通って排水ホース９により排出される。
【００２５】
排気方式の場合は図４の（ｂ）に示すように、ヒータはＯＮのまま、乾燥工程前半(高速脱水終了後)より図３に示すように吸気弁１３を開ける。この場合冷却水弁（図示せず）は閉じたままとする。ベース１下部の隙間から吸込まれた外部空気１６は、吸気弁１３を開けることにより、筐体内部空気１４となり、ファン６１へ吸込まれる。その後ヒータ６２で加熱され、吹出しノズル１１から回転ドラム２９内の洗濯物３０に吹付けられ洗濯物３０から水分を奪い、湿潤して排水口３７より排水ホース９を通り、排水トラップ１０の水封じを破って排水口３９に排出される。
【００２６】
乾燥終了後に、排水ホース９側の圧力を所定以上に保ちながら排水ホースを経由して排水口３９に水を供給することにより、排水口３９からの臭気を抑えながら排水トラップ１０の水封じを回復する。
【００２７】
尚、本発明の第１の実施例において、排気方式の場合に吸気弁１３を開けるタイミングは図４の（ｂ）に示すように高速脱水終了後の余熱乾燥工程からとしているが、図４の（ｃ）に示すように中盤の効率乾燥工程以降や、あるいは図４の（ｄ）に示すように後半の減率乾燥工程以降というようにさまざまなタイミングで開けることが可能である。
【００２８】
図５は、洗濯乾燥機の制御装置１３８のブロック図である。１５０はマイクロコンピュータで、各スイッチ１１２，１１３，１１３ａに接続される操作ボタン入力回路１５１や水位センサ１３４，温度センサ１５２、湿度センサ１５５と接続され、使用者のボタン操作や洗濯工程，乾燥工程での各種情報信号を受ける。マイクロコンピュータ１５０からの出力は、駆動回路１５４に接続され、給水電磁弁１１６，排水弁８，モータ３６，ファン６１，ヒータ６２，吸気弁１３，冷却水弁１９などに接続され、これらの開閉や回転，通電を制御する。また、使用者に洗濯機の動作状態を知らせるための７セグメント発光ダイオード表示器１１４や発光ダイオード１５６，ブザー１５７に接続される。
【００２９】
前記マイクロコンピュータ１５０は、電源スイッチ１３９が押されて電源が投入されると起動し、図６に示すような洗濯および乾燥の基本的な制御処理プログラムを実行する。
【００３０】
ステップＳ１０１
洗濯乾燥機の状態確認及び初期設定を行う。
【００３１】
ステップＳ１０２
操作パネル１０６の表示器１１４を点灯し、操作ボタンスイッチ１１３からの指示入力にしたがって洗濯／乾燥コースを設定する。指示入力がない状態では、標準の洗濯／乾燥コース又は前回実施の洗濯／乾燥コースを自動的に設定する。
【００３２】
ステップＳ１０３
操作パネル１０６のスタートスイッチ１１２からの指示入力を監視して処理を分岐する。
【００３３】
ステップＳ１０４
洗濯を実行する。洗濯は洗い，中間脱水，すすぎ，最終脱水を順次実行するが、通常のドラム式洗濯乾燥機と同様であるので、詳細な説明は省略する。
【００３４】
ステップＳ１０５
洗濯乾燥コースが設定されているかどうかを確認して処理を分岐する。洗濯コースのみが設定されている場合は、運転を終了する。
【００３５】
ステップＳ１０６
洗濯乾燥コースが設定されている場合は、高速脱水を実行する。
【００３６】
ステップＳ１０７
高速脱水終了後、乾燥運転を実行する。ファン６１は高速回転、ヒータ６２は通電し、回転ドラム２９の正逆回転を繰り返し、回転ドラム２９内の衣類の位置を入れ替えながら高温の温風を衣類に吹き付ける。衣類全体の温度が上昇し衣類から水分が蒸発する。
【００３７】
ステップＳ１０８
ステップＳ１０７と同時に吸気弁１３を開ける。
【００３８】
ステップＳ１０９
吸気弁を開けてからの経過時間が規定の時間になったかどうかを確認して処理を分岐する。
【００３９】
ステップＳ１１０
外槽２０の下部にある排水口３７の初期温度を測定する。
【００４０】
ステップＳ１１１
乾燥開始からの経過時間が規定の時間になったかどうかを確認して処理を分岐する。
【００４１】
ステップＳ１１２
排水口３７の終了温度と初期温度の差が規定の温度になったかどうかを確認して処理を分岐する。
【００４２】
ステップＳ１１３
乾燥開始から規定の時間が経過した場合、もしくは終了温度と初期温度の差が規定の温度より大きくなった場合、洗濯物の乾燥が終了したと判断し、ヒータ６２の通電をＯＦＦし、排水口３９側の圧力より排水ホース９側の圧力を高く保ちながら水封じを破らない圧力レベルまでファン６１の回転数を下げて冷却水弁１９を開いて冷却水５２を流し、排水トラップ１０の水封じを回復させる。
【００４３】
ステップＳ１１４
冷却水弁１９を開いてからの経過時間が規定の時間になったかどうかを確認して処理を分岐する。  
ステップＳ１１５
水位センサ１３４の圧力が規定の圧力になったかどうかを確認して処理を分岐する。
【００４４】
ステップＳ１１６
冷却水弁１９を開いてから規定の時間が経過した場合、もしくは水位センサ１３４の圧力が規定の圧力より大きくなった場合、排水トラップ１０の水封じが回復したと判断し、ファン６１を停止、モータ３６を停止、吸気弁１３を閉じ、冷却水弁１９を閉じて乾燥工程が終了する。
【００４５】
このように構成した洗濯乾燥機は、吸気弁１３から吸込んだ乾いた外部空気１６を用いた乾燥により消費電力量が削減でき、また冷却水を一切使用せずに乾燥が可能となるため節水効果も得られる。
【００４６】
ここで、衣類２kgを温度２０±２℃、湿度６５±５％の条件において排気方式で乾燥した場合、除湿方式と比較して、冷却水は一切使用せずに、乾燥工程の消費電力量全体の約１０％を削減できる。
【００４７】
４kgの場合は排気方式・除湿方式ともに消費電力量は同レベルであるが、冷却水量の使用は排気方式の場合一切使用しないことから節水効果が得られる。
【００４８】
本発明に係る他の実施例について、図面を用いて説明する。
【００４９】
図７は本発明の第２の実施例に係るもので、乾燥工程の洗濯乾燥機の断面図を示す。第１の実施の形態と共通する構成については重複する説明を省略する。
【００５０】
第１の実施の形態と異なる点は、排水口３７の吐出口には温度センサ４０が設けてあり、この温度センサを用いて、循環方式と排気方式の切換え制御を行うことである。これにより、洗い工程又は、すすぎ工程の給水時に、ドラム又は槽内の溜まった水温を検知し、所定の温度より低い場合は吸気弁１３は閉じたままで、除湿方式の乾燥運転で循環し、所定の温度より高い場合は、吸気弁１３を開ける排気方式の乾燥を行い、排水ホースを経由して排気する乾燥運転を行い、水温の状況に合わせた乾燥を行うことにより、効率よい乾燥を行い、乾き不具合の削減、乾燥工程の所要時間の短縮および消費電力量を削減することが出来る。
【００５１】
図８は本発明の第３の実施例に係るもので、乾燥工程の洗濯乾燥機の断面図を示す。第１の実施の形態と共通する構成については重複する説明を省略する。
【００５２】
第１，２の実施の形態と異なる点は、ファン６１の上流側に設けられる吸気弁１３の吸込み口の付近に湿度センサ１５５を設けたことである。これにより、吸込む外気の湿度を検知し、所定の湿度より湿度が高い場合は吸気弁１３は閉じたままで除湿方式の乾燥運転を行い、湿度が低い場合は吸気弁１３を開ける排気方式の乾燥運転を行うことで、湿度の状況に合わせた乾燥を行うことにより、効率よい乾燥を行い、乾燥工程の所要時間の短縮および消費電力量を削減することが出来る。
【００５３】
排気方式に切り替える所定値は、湿度６５〜７０％あたりが望ましい。取り込む外部空気１６の湿度は低い方が乾きが促進されるため、所定値はより低く設定した方がよいが、その値が低すぎると湿度の高い夏場には全く排気方式にはならない不具合が発生する可能性を考慮したものである。
【００５４】
図９は本発明の第３の実施例に係るもので洗濯乾燥機の制御処理プログラムのフローチャートを示す。尚、湿度の検知は乾燥工程の初期のみ行い除湿方式あるいは排気方式のいずれかに決める方法でもよいが、検知を工程中にも行い適宜切り替えるとより望ましい。
【００５５】
本発明に係る他の実施例について、図面を用いて説明する。
【００５６】
図１０は本発明の第４の実施例に係るもので、乾燥工程の洗濯乾燥機の断面図を示す。第１、２の実施の形態と共通する構成については重複する説明を省略する。
【００５７】
第１、２、３の実施の形態と異なる点は、ファン６１の上流側に設けられる吸気弁１３の吸込み口の付近に外気温測定用温度センサ１５８を設けたことである。これにより、吸込む外気の温度を検知し、所定の温度より温度が低い場合は吸気弁１３は閉じたままで除湿方式の乾燥を行い、温度が高い場合は吸気弁１３を開ける排気方式の乾燥を行うことで、外気の状況に合わせた乾燥を行うことにより効率よい乾燥を行い、乾燥工程の所要時間の短縮および消費電力量を削減することが出来る。
【００５８】
排気方式に切り替える所定値は、温度１５℃以上が望ましい。取り込む外部空気１６の温度は高い方が乾きが促進されるため、所定値はより高く設定した方がよいが、その値が高すぎると温度の低い冬場には全く排気方式にはならない不具合が発生する可能性を考慮したものである。
【００５９】
図１１は本発明の第４の実施例に係るもので洗濯乾燥機の制御処理プログラムのフローチャートを示す。尚、温度の検知は乾燥工程の初期のみ行い除湿方式あるいは排気方式のいずれかに決める方法でもよいが、検知を工程中にも行い適宜切り替えるとより望ましい。
【００６０】
本発明に係る他の実施例について、図面を用いて説明する。
【００６１】
図１２は本発明の第５の実施例に係るもので、乾燥工程の洗濯乾燥機の断面図を示す。
第１、２、３、４の実施の形態と共通する構成については重複する説明を省略する。
【００６２】
第１、２、３および４の実施の形態と異なる点は、排水口３７の吐出口の温度センサ４０、ファン６１の上流側に設けられる吸気弁１３の吸込み口の付近に、湿度センサ１５５、外気温測定用温度センサ１５８の３つの温度センサを設置し制御を行うことである。これにより、筐体内部空気１５の湿度および温度の両方を検知し、および、洗い工程又は、すすぎ工程中の給水時の水温を検知することで、細かく対応し、排気方式および除湿方式のいずれか適切な方法を選択して、乾き不具合の削減、乾燥工程の所要時間短縮および消費電力量を削減することが出来る。
【００６３】
尚、湿度センサ１５５および外気温測定用温度センサ１５８の設置場所は、図１２で示した吸気弁１３の吸込み口付近だけでなく、図１３に示すように制御装置１３８の中や図１４に示すように外部空気１６を測定するのに適した箇所でもよい。制御装置１３８の中に設置するメリットとしては他の設置に比べて安価であることがあげられ、また外部空気１６を測定するのに適した場所に設置するメリットとしては、排気を行うために取り込む外部空気１６の湿度および温度をより精確に把握することが可能になることである。
【００６４】
図１５は本発明の第５の実施例に係るもので洗濯乾燥機の制御処理プログラムのフローチャートを示す。尚、湿度および外気温度の検知は乾燥工程の初期のみ行い除湿方式あるいは排気方式のいずれかに決める方法でもよいが、検知を工程中にも行い適宜切り替えるとより望ましい。又、（フローチャートに図示なし）排水口３７の吐出口の温度センサ４０を用いて、洗い工程中又は、すすぎ工程中の給水時に水温を検知し、除湿方式あるいは排気方式の乾燥運転を選択して行うものである。
【００６５】
なお、上述の各実施例では、除湿手段として除湿ダクト５、加熱手段としてヒータ６２、を用いたもので説明したが、除湿手段として蒸発器、加熱手段として凝縮器、を用いたヒートポンプ式の乾燥機や洗濯乾燥機であっても良い。
【符号の説明】
【００６６】
１  ベース
２  外枠
３  ドア
４，７  ベローズ
５  除湿ダクト
６  乾燥装置
８  排水弁
９  排水ホース
１０  排水トラップ
１１  吹出しノズル
１２  槽内空気
１３  吸気弁
１４，１５  筐体内部空気
１６  外部空気
１７  オーバーフロー管
１８  排気ホース
２０  外槽
２１  サスペンション
２２  前面カバー
２３  背面カバー
２７  フィルタダクト
２９  回転ドラム
３０  洗濯物
３１  流体バランサー
３２  通風口
３３  リフター
３４  フランジ
３５  主軸
３６  ドラム駆動用モータ
３７，３９  排水口
３８  パッキン
３９ａ  シール材
３９ｂ  アダプター
３９ｃ  蓋
６１  ファン
６２  ヒータ
６７  ブロワ
６８，１１６  給水電磁弁
６９  給水ホース
１５５  湿度センサ
１５８  外気温測定用温度センサ
５００  本体
【図１】
2016123771.tif 000003
【図２】
2016123771.tif 000004
【図３】
2016123771.tif 000005
【図４】
2016123771.tif 000006
【図５】
2016123771.tif 000007
【図６】
2016123771.tif 000008
【図７】
2016123771.tif 000009
【図８】
2016123771.tif 000010
【図９】
2016123771.tif 000011
【図１０】
2016123771.tif 000012
【図１１】
2016123771.tif 000013
【図１２】
2016123771.tif 000014
【図１３】
2016123771.tif 000015
【図１４】
2016123771.tif 000016
【図１５】
2016123771.tif 000017